(57)【要約】本発明は、移動機（１００）が、第１の変調方式を用いて変調されたデータが通信される通信リンク（４１０）上の信号品質測定を実施する、移動機を利用した変調方式管理を開示する。移動機（１００）は、この第１の変調についての第１のリンク品質測定値を求める。さらに、移動機（１００）は、現在用いられていない１つ以上の変調方式についての第１の品質指標を、この第１の品質指標に基づいて推定する。そして、この第１の品質指標及び１つ以上の第２の品質推定に基づいて、選択情報が生成される。この品質指標推定は、移動機（１００）の能力及び特定の変調方式バージョンに基づき実行される。
2007534199.tif 000002
【特許請求の範囲】
【請求項１】
無線通信システム（１）において、移動機（１００）に使用可能な複数の変調方式の中から１つの変調方式を選択するための情報を生成する方法であって、
−前記移動機（１００）が、第１の変調方式を用いる通信リンク（４１０）について、第１の変調依存リンク品質を決定するステップと、
−前記移動機（１００）が、前記第１のリンク品質に基づき、少なくとも第２の変調方式についての第２の変調依存リンク品質を推定するステップと、
−前記第１のリンク品質及び前記第２のリンク品質に基づき、前記選択のための情報を生成するステップとを有することを特徴とする方法。
【請求項２】
前記決定ステップが、
−前記移動機（１００）が、前記第１の変調方式で変調され、かつ前記通信リンク（４１０）上で受信したデータの測定を実行するステップと、
−前記移動機（１００）が前記測定結果に基づいて前記第１のリンク品質を決定するステップとを有することを特徴とする請求項１記載の方法。
【請求項３】
前記推定ステップが、前記移動機（１００）が、複数の異なる変調方式についてのリンク品質をマッピングしたテーブル（１３４）から前記第２のリンク品質を決定するステップをさらに有し、
前記リンク品質マッピングが、前記移動機（１００）の能力に適合されていることを特徴とする請求項１又は請求項２記載の方法。
【請求項４】
前記推定ステップが、前記移動機（１００）が、前記第１のリンク品質を入力とするリンク品質マッピング関数から前記第２のリンク品質を決定するステップを有し、前記リンク品質マッピング関数が、前記移動機（１００）の能力に適合されていることを特徴とする請求項１又は請求項２記載の方法。
【請求項５】
無線通信システム（１）において、移動機（１００）に使用可能な複数の変調方式の中から１つの変調方式を選択するための情報を生成する方法であって、
−前記移動機（１００）が、前記第１の変調方式で変調され、かつ通信リンク（４１０）上で受信したデータの測定を実行するステップと、
−前記移動機（１００）が、前記測定結果に基づいて第１の変調依存リンク品質を決定するステップと、
−前記移動機（１００）が、前記測定結果に基づき、少なくとも第２の変調方式についての第２の変調依存リンク品質を推定するステップと、
−前記第１のリンク品質及び前記第２のリンク品質に基づき、前記選択のための情報を生成するステップとを有することを特徴とする方法。
【請求項６】
−前記移動機（１００）が前記第１のリンク品質と前記第２のリンク品質を比較するステップと、
−前記移動機（１００）が、前記比較に基づいて好ましい変調方式を決定するステップとをさらに有し、
前記変調方式を選択するための情報が、前記好ましい変調方式についての第１の識別情報を含むことを特徴とする請求項１乃至請求項５のいずれか１項に記載の方法。
【請求項７】
前記第１の識別情報が、前記好ましい変調方式に関する変調及び符号化方式についての第２の識別情報を含むことを特徴とする請求項６記載の方法。
【請求項８】
−前記通信リンク（４１０）上で、前記移動機（１００）へ、前記少なくとも第２の変調方式を用いて変調されたデータを間欠的に通信するステップと、
−前記移動機（１００）が、前記少なくとも第２の変調方式により変調された前記データの測定を実行するステップとをさらに有し、
前記推定ステップが、
前記第１のリンク品質と、前記少なくとも第２の変調方式により変調された前記データの前記測定結果とに基づいて、前記第２のリンク品質を推定するステップを有することを特徴とする請求項１乃至請求項４のいずれか１項に記載の方法。
【請求項９】
−前記通信リンク（４１０）上で、前記移動機（１００）へ、前記少なくとも第２の変調方式を用いて変調されたデータを間欠的に通信するステップと、
−前記移動機（１００）が、前記少なくとも第２の変調方式により変調された前記データの測定を実行するステップとをさらに有し、
前記推定ステップが、
前記第１の変調方式により変調されたデータの前記測定結果と、前記少なくとも第２の変調方式により変調された前記データの前記測定結果とに基づいて、前記第２のリンク品質を推定するステップを有することを特徴とする請求項５記載の方法。
【請求項１０】
前記移動機（１００）が、前記第１の変調方式を用いる前記通信リンク（４１０）の前記リンク品質を向上させるための性能向上アルゴリズム（１７０）を用いるように適合されるとともに、
前記移動機（１００）が、前記性能向上アルゴリズム（１７０）によって得られるリンク品質性能向上の表示を生成するステップをさらに有し、
前記変調方式を選択するための情報が、前記向上表示を含むことを特徴とする請求項１乃至請求項９のいずれか１項に記載の方法。
【請求項１１】
前記向上表現生成ステップが、前記移動機（１００）が、前記性能向上アルゴリズム（１７０）を用いない前記第１の変調方式についての第３のリンク品質を推定するステップと、
−前記移動機（１００）が、前記第１のリンク品質と前記第３のリンク品質とに基づいて前記向上表示を決定するステップとを有することを特徴とする請求項１０記載の方法。
【請求項１２】
前記向上表現生成ステップが、前記移動機（１００）が前記性能向上アルゴリズム（１７０）の動作率を決定するステップを有し、前記向上表現が前記決定された動作率を含むことを特徴とする請求項１０記載の方法。
【請求項１３】
前記性能向上アルゴリズム（１７０）が、干渉抑制アルゴリズムであることを特徴とする請求項１０乃至請求項１２のいずれか１項に記載の方法。
【請求項１４】
前記複数の変調方式の各々が、前記通信リンク（４１０）上で前記移動機（１００）へデータを通信するために用いる個別の送信電力レベルと関連付けられており、
−前記第１の変調方式に現在対応付けられている第１の送信電力レベルを求めるステップと、
−前記少なくとも第２の変調方式に関連付けられている、対応する第２の送信電力レベルを求めるステップとをさらに有し、
前記変調方式を選択するための情報が、
−前記第１の送信電力レベル及び前記第２の送信電力レベルと、
−前記第１の送信電力レベル及び前記第２の送信電力レベルから得られる量、の少なくとも１つを含むことを特徴とする、請求項１乃至請求項１３のいずれか１項に記載の方法。
【請求項１５】
無線通信システム（１）において使用可能な複数の変調方式の中から１つの変調方式を選択するための情報を生成するように適合された移動機（１００）であって、
−第１の変調方式を用いる通信リンク（４１０）について、第１の変調依存リンク品質を決定する手段（１２０）と、
−前記第１のリンク品質に基づき、少なくとも第２の変調方式についての第２の変調依存リンク品質を推定する手段（１３０）と、
前記第１のリンク品質及び前記第２のリンク品質に基づき、前記選択のための情報を生成する手段（１４０）とを有することを特徴とする移動機。
【請求項１６】
前記第１の変調方式で変調されたデータを、前記通信リンク（４１０）上で受信する手段（１１０）をさらに有し、
前記決定手段（１２０）が前記受信かつ変調されたデータのリンク品質測定を実行するように構成されることを特徴とする請求項１５記載の移動機。
【請求項１７】
前記推定手段（１３０）が、複数の異なる変調方式についてのリンク品質をマッピングしたテーブル（１３４）から前記第２のリンク品質を決定するように構成され、前記リンク品質マッピングが、前記移動機（１００）の能力に適合されていることを特徴とする請求項１５又は請求項１６記載の移動機。
【請求項１８】
前記推定手段（１３０）が、前記第１のリンク品質を入力とするリンク品質マッピング関数から前記第２のリンク品質を決定するように構成され、前記リンク品質マッピング関数が、前記移動機（１００）の能力に適合されていることを特徴とする請求項１５又は請求項１６記載の移動機。
【請求項１９】
無線通信システム（１）において使用可能な複数の変調方式の中から１つの変調方式を選択するための情報を生成するように適合された移動機（１００）であって、−前記第１の変調方式で変調されたデータを、前記通信リンク（４１０）上で受信する手段（１１０）と、
−前記受信データの測定結果に基づいて前記第１の変調依存リンク品質を決定する手段（１２０）と、
−前記受信データの前記測定結果に基づき、少なくとも第２の変調方式についての第２の変調依存リンク品質を推定する手段（１３０）と、
前記第１のリンク品質及び前記第２のリンク品質に基づき、前記選択のための情報を生成する手段（１４０）とを有することを特徴とする移動機。
【請求項２０】
−前記第１のリンク品質と前記第２のリンク品質を比較する手段（１５０）と、
−前記比較に基づいて好ましい変調方式を決定する手段（１６０）とをさらに有し、
前記変調方式を選択するための情報が、前記好ましい変調方式についての第１の識別情報を含むことを特徴とする請求項１５乃至請求項１９のいずれか１項に記載の移動機。
【請求項２１】
前記第１の識別情報が、前記好ましい変調方式に関する変調及び符号化方式についての第２の識別情報を含むことを特徴とする請求項２０記載の移動機。
【請求項２２】
−前記通信リンク（４１０）上で、前記少なくとも第２の変調方式を用いて変調されたデータを間欠的に受信する手段（１１０）と、
−前記少なくとも第２の変調方式により変調された前記データの測定を実行する手段（１２０）とをさらに有し、
前記推定手段（１３０）が、前記第１のリンク品質と、前記少なくとも第２の変調方式により変調された前記データの前記測定結果とに基づいて、前記第２のリンク品質を推定するように構成されることを特徴とする請求項１５乃至請求項１８のいずれか１項に記載の移動機。
【請求項２３】
−前記通信リンク（４１０）上で、前記少なくとも第２の変調方式を用いて変調されたデータを間欠的に受信する手段（１１０）と、
−前記少なくとも第２の変調方式により変調された前記データの測定を実行する手段（１２０）とをさらに有し、
前記推定手段（１３０）が、前記第１の変調方式により変調された前記受信データの前記測定結果と、前記少なくとも第２の変調方式により変調された前記受信データの前記測定結果とに基づいて、前記第２のリンク品質を推定するように構成されることを特徴とする請求項１９記載の移動機。
【請求項２４】
前記第１の変調方式を用いる前記通信リンク（４１０）の前記リンク品質を向上させる性能向上手段（１７０）と、
−前記性能向上手段（１７０）の動作によって得られるリンク品質性能向上の表示を生成する手段（１８０）とをさらに有し、
前記情報生成手段（１４０）が、前記変調方式を選択するための情報を、前記向上表示に基づいて生成するように構成されることを特徴とする請求項１５乃至請求項２３のいずれか１項に記載の移動機。
【請求項２５】
前記性能向上手段（１７０）を動作させない状態での前記第１の変調方式についての第３のリンク品質を推定する手段（１２０）をさらに有し、
前記向上表示生成手段（１８０）が、前記第１のリンク品質と、前記性能向上手段（１７０）を用いない前記第１の変調方式についての第３のリンク品質とに基づいて前記向上表示を決定するように構成されることを特徴とする請求項２４記載の移動機。
【請求項２６】
前記向上表現生成手段（１８０）が、前記性能向上手段（１７０）の動作率を決定する様に構成され、前記向上表現が前記決定された動作率を含むことを特徴とする請求項２４記載の移動機。
【請求項２７】
前記性能向上手段（１７０）が、干渉抑制アルゴリズムを用いて前記リンク品質を向上させるように構成されることを特徴とする請求項２４乃至請求項２６のいずれか１項に記載の移動機。
【請求項２８】
前記複数の変調方式の各々が、前記通信リンク（４１０）上で前記移動機（１００）へデータを通信するために用いる個別の送信電力レベルと関連付けられており、前記移動機（１００）が、前記データを通信する基地局（４００）から、
−前記第１の変調方式に現在対応付けられている第１の送信電力レベルと、前記少なくとも第２の変調方式に関連付けられている第２の送信電力レベル、
−前記第１の送信電力レベル及び前記第２の送信電力レベルから得られる量、の少なくとも１つから選択された送信電力指標を受信する手段（１１０）を有し、前記推定手段（１３０）が、前記受信した送信電力指標に基づいて前記第２のリンク品質を推定するように構成されることを特徴とする請求項１５乃至請求項２７のいずれか１項に記載の移動機。
【請求項２９】
移動機（１００）内の構成に適合されるとともに、無線通信システム（１）において使用可能な複数の変調方式の中から１つの変調方式を選択するための情報を生成するように適合された情報生成装置（１９０）であって、
−第１の変調方式を用いる通信リンク（４１０）についての第１の変調依存リンク品質を決定する手段（１２０）と、
−前記第１のリンク品質に基づき、少なくとも第２の変調方式についての第２の変調依存リンク品質を推定する品質推定器（１３０）と、
−前記第１のリンク品質及び前記第２のリンク品質に基づき、前記変調方式の選択のための情報を生成する第１の生成器（１４０）とを有することを特徴とする装置。
【請求項３０】
−前記第１のリンク品質と前記第２のリンク品質を比較する比較器（１５０）と、
−前記比較に基づいて好ましい変調方式を決定する手段（１６０）とをさらに有し、
前記変調方式を選択するための情報が、前記好ましい変調方式についての第１の識別情報を含むことを特徴とする請求項２９記載の装置。
【請求項３１】
前記第１の識別情報が、前記好ましい変調方式に関する変調及び符号化方式についての第２の識別情報を含むことを特徴とする請求項３０記載の装置。
【請求項３２】
前記第１の変調方式を用いる前記通信リンク（４１０）の前記リンク品質を向上させる性能向上手段（１７０）と、
−前記性能向上手段（１７０）の動作によって得られるリンク品質性能向上の表示を生成する第２の生成器（１８０）とをさらに有し、
前記第１の生成器（１４０）が、前記変調方式を選択するための情報を、前記向上表示に基づいて生成するように構成されることを特徴とする請求項２９乃至請求項３１のいずれか１項に記載の装置。
【請求項３３】
移動機（１００）に使用可能な複数の変調方式であり、かつ前記移動機（１００）と基地局（４００）との間の通信リンク（４１０）で用いるために適合された複数の変調方式の中から、１つの変調方式を選択するため、無線通信システム（１）に設けられる変調方式選択装置（２００）であって、
−前記移動機（１００）から送信された決定情報であって、第１の変調方式を用いる前記通信リンク（４１０）についての第１の変調方式依存リンク品質と、前記第１のリンク品質に基づいて生成された少なくとも第２の変調方式についての第２の変調方式依存リンク品質とを含む決定情報を受信する手段（２１０）と、
−前記移動機（１００）への前記通信リンク（４１０）に用いるための変調方式を、前記受信した決定情報に基づいて選択する手段（２３０）を有することを特徴とする装置。
【請求項３４】
前記基地局（４００）へ変調方式変更コマンドを間欠的に送信する手段（２１０，２５０）をさらに有し、
前記変更コマンドは、前記少なくとも第２の変調方式を用いて変調したデータを、前記通信リンク（４１０）上で前記移動機（１００）に間欠的に送信するよう前記基地局（４００）に強制することを特徴とする請求項３３記載の装置。
【発明の詳細な説明】
【技術分野】
【０００１】
本発明は全体として無線通信システムにおける変調方式管理に関し、特には無線通信システムにおける、移動機を利用した変調方式管理に関する。
【背景技術】
【０００２】
今日の無線通信システムは、通常、伝播搬送信号に、情報を付帯した信号(intelligence-bearing signal)を重畳もしくは混合する変調方式を用いている。
【０００３】
ＧＳＭ(Global System for Mobile Communications)又はＧＰＲＳ(General Packet Radio Service)システムを含む一部の通信システムに対しては、ＧＭＳＫ (Gaussian Minimum Shift Keying)が唯一利用できる変調方法であり続けてきた。ＧＭＳＫは固定エンベロープ位相変調の一種であり、０ビット又は１ビットの伝送が、位相変化によって表される。従って、伝送シンボル当たり１ビットを表す。
【０００４】
ＧＰＲＳシステムにＥＤＧＥ(Enhanced Data rates for GSM Evolution)技術を導入することにより、無線通信に別の変調方法、すなわち８−ＰＳＫ (8-state Phase Shift Keying)の利用が可能となる。８−ＰＳＫはチャネル構成、チャネル幅及び、ＧＭＳＫを用いるＧＰＲＳシステムの既存の装置及び機能の再利用を可能とする。しかし、８−ＰＳＫはタイムスロット当たりＧＭＳＫよりも高いビットレートを実現する。８−ＰＳＫは、位相及び振幅変調を用いる線形な方法であり、連続する３ビットが１つのシンボルにマッピングされる。シンボルレートはＧＭＳＫと同じであるが、各シンボルが１ビットの代わりに３ビットを表すようになるため、データレートが３倍となる。
【０００５】
ＧＭＳＫ及び８−ＰＳＫ変調の両方へのアクセスを有するＥＧＰＲＳ(拡張GPRS)システムは、９つの異なる変調符号化方式、ＭＣＳ１〜ＭＣＳ９の利用が可能である。下位４つの符号化方式はＧＭＳＫを、上位５つは８−ＰＳＫを用いる。これら９つのＭＣＳは、異なる誤り訂正を用いる。つまり、異なる無線環境状態での利用に適合されている。一般に、良好な無線環境では、高めのユーザデータレートを提供するため、より積極的な（誤り訂正の少ない、８−ＰＳＫを用いる）符号化方式を用いることができる。一方、質の低い無線リンク環境では、誤り訂正能力優先で、低いユーザデータレートを有する符号化方式（ＧＭＳＫを用いるＭＣＳ）が通常用いられる。
【０００６】
ＥＧＰＲＳシステムはまた、リンクアダプテーションと呼ばれるリンク品質制御機能を備えている。リンクアダプテーションは、ダウンリンク及びアップリンク伝送に最適な変調符号化方式を選択するため、移動機及び／又は基地送受信局からの無線リンク品質測定結果を用いる。特に、移動機については、そのような測定レポートは直近の測定レポート時点から使用している変調に関するリンク品質測定結果又は推定値（例えばＢＥＰ（ビット誤り確率））しか含んでいない。しかしながら、そのリンク品質測定値は、使用された特定の変調方式に依存したものであるため、ネットワークはＧＭＳＫ変調及び８−ＰＳＫの相対的な性能に関する推定を行なわねばならない。例えば、ネットワークが、移動機によって受信された、ＧＭＳＫ変調されたデータについてのＢＥＰを含むレポートを受信したとすると、ネットワークはこのＧＭＳＫ ＢＥＰを対応する推定８−ＰＳＫ ＢＥＰ値に”マッピング”する。
【０００７】
この従来技術の重要な問題点は、システム内の全移動機に対して、１つの変調方式ＢＥＰマッピングが使用されることである。しかし、ＧＭＳＫと８−ＰＳＫの相対的な性能は、通常、移動機のメーカによって異なり、さらに、無線環境によっても変化しうる。そのため、時にネットワークは、理想的でない、或いは誤ったＢＥＰ変調マッピングに基づいて、ある移動機に対してデータ伝送するために最適でない変調符号化方式を選択してしまう。
【発明の開示】
【０００８】
本発明は従来技術のこのような問題点及び他の問題点を解決する。
本発明の全体的な目的は、通信システムにおける変調方式管理を改善することである。
本発明の別の目的は、通信システムにおける、移動機を利用した変調方式選択を提供することである。
【０００９】
本発明のさらに別の目的は、通信システムにおいて変調方式を選択する際に用いる、より正確な決定情報を提供することである。
これらの目的及び他の目的は、添付した特許請求の範囲によって規定される発明により達成される。
【００１０】
簡単に言えば、本発明は、移動機を用い、変調方式に依存したリンク品質データであって、その移動機へのデータ伝送に用いるための変調を選択する基準として用いられるリンク品質データを生成する。本発明が適用される通信システムにおいて、移動機は、基地局との間の通信リンク上で通信するデータを変調するために、複数の変調方式を利用可能である。異なる変調方式の性能は無線環境に依存するため、利用する方式の選択はその通信リンクについてのリンク品質測定に基づく。しかし、そのようなリンク品質測定値は、そのリンクに用いられる変調方式に依存している。
【００１１】
本発明によれば、移動機は、第１の変調方式を用いて変調されたデータが通信される通信リンク上の信号品質測定を実施する。そして、その移動機は、第１の変調についての第１のリンク品質測定値を求める。この第１の品質測定値及び／又は第１の変調に対するリンク品質の測定結果は、移動機が、他の（現在用いていない）利用可能な変調方式の少なくともサブセットについての、対応するリンク品質測定値を推定するために用いられる。このリンク品質推定は、移動機に固有の機能、具体的には、変調方式の特定の型式及びバージョン及び／又は移動機が備える受信機アルゴリズムに基づいて実施することが可能である。これにより、通常、異なる変調能力を有し、異なる変調方式及び受信機アルゴリズムを用いる通信システムの中央装置が、接続された全移動機の代わりにその推定を行なう場合よりも、ずっと高精度な品質測定値の推定を得ることができる。移動機はさらに、現在使用中の変調方式に関する第１のリンク品質と、現在使用していない１つ以上の変調についての第２の推定リンク品質とに基づいて、選択情報を生成する。選択情報は、通信システム内の移動機に対する変調方式を選択及び決定する、通信システム内の（中央）装置へ報告される。
【００１２】
選択情報は、異なる複数の変調について求められたリンク品質測定値を含みうる。或いは、ただ１つの品質測定値、通常は現在使用中の変調に関する測定値と、そのリンク品質測定値から得られる量(quantity)を含む。移動機は、変調方式選択を、求めた品質測定値に基づいて自ら行なっても良い。そのような場合、選択情報は選択された、すなわち、現状で最適な変調方式の識別情報(identification)を含む。選択情報はさらに、選択された変調に関連する、現状で好ましい変調方式（ＭＣＳ）の対応する識別情報を含みうる。
【００１３】
測定及び決定された第１のリンク品質測定値に基づく、１つ以上の第２のリンク品質測定値の推定は、品質測定値マッピング又は移動機における変換処理によって実現可能である。例えば、リンク品質マップ又はテーブルを、移動機内に設けることができる。このテーブルは、第１の変調についての複数の異なるリンク品質値と、他の１つ以上の変調方式についての、対応する値をリストする。そして、品質測定値間のマッピングは、１つ以上の第２の品質測定値の推定を得るため、求めた第１の品質測定値を用いる表引きとして実行される。或いは、第１の品質測定値を入力データとし、現在使用されていない１つ以上の変調についての対応する品質指標を出力する変換関数を用いることもできる。これらのテーブルや関数は、その移動機に特有の能力及び変調方式バージョンに基づいて決定されることが好ましく、移動機及び／又は移動機の変調ハードウェア／ソフトウェアの検査室測定及びシミュレーションを用いて用意することができる。
【００１４】
異なる変調方式は異なる伝送電力レベルに関連付けされうるので、その移動機にデータを伝送する基地局は、移動機に電力レベル又はそれから得られる量を報告することが好ましい。この電力データは、１つ以上の第２のリンク品質測定値の推定において、より高精度な推定を行なうために用いられる。
【００１５】
基地局はまた、現在用いられていない他の変調方式によって変調したデータを、間欠的又は周期的に送信するように構成されても良い。これにより、移動機は、それらの方式で変調されたデータについてのリンク品質測定をも実施することが可能になる。これらの測定結果は、第１のリンク品質測定値とともに、１つ以上の第２のリンク品質測定値の推定に用いられる。
【００１６】
移動機は、特定の変調方式又は、利用可能な方式の特定のサブセットを用いて変調されたデータに実施可能なリンク品質向上アルゴリズムを備えていても良い。この向上アルゴリズムは、データが特定の１つ以上の変調方式によって変調され、他の方式によっては変調されない場合に、移動機が受けるリンク品質を改善する。移動機は好ましくはこのアルゴリズムによって、性能向上利得（performance gain）を決定する。このゲインは、１つ以上の第２のリンク品質測定値の推定において、さらに高精度な推定を行なうために用いられる。
【００１７】
本発明は以下のような利点を有する。現在使用中並びに現在使用されていない変調方式の両方についてのリンク品質測定値の推定精度を向上させる。ネットワークが、任意のタイミングで、ある移動機に最適な変調方式を選択することを可能にする。ユーザビットレートを向上する。通信システム容量を改善する。異なる変調方式間のスムーズな遷移を促進する。
【００１８】
本発明によって実現される他の利点は、以下の、本発明の実施形態の説明を読むことによって明らかになるであろう。
本発明、並びに本発明の他の目的及び利点は、以下の説明を添付図面と共に参照することによって最もよく理解できるであろう。
【発明を実施するための最良の形態】
【００１９】
図面を通じ、同一の参照文字は、対応もしくは類似する要素に対して付与される。今日の無線通信システムのいくつかにおいては、システム内の無線通信リンク上で伝送されるデータを変調するために、異なる複数の変調方式又は変調技術を用いている。利用可能な変調方式が複数存在する場合、実際に用いる変調方式は、一般にその通信リンクの無線品質に基づいて選択される。本発明はそのような変調方式の選択の実施に関連する。
【００２０】
以下においては、ＧＭＳＫ (Gaussian Minimum Shift Keying) 及び８−ＰＳＫ(8-state Phase Shift Keying)の２つの変調方式を利用可能な無線通信システムを参照して本発明を説明並びに開示する。しかし、本発明はこの変調方式そのものや、２つの異なる変調方式を利用可能な通信システムに限定されるものではなく、例えば、ＱＰＳＫ (Quadrature PSK)、１６ＱＡＭ (16 Quadrature Amplitude Modulation)及び６４ＱＡＭを用いるＣＤＭＡ (Code Division Multiple Access)システムのような、システム内で通信されるデータを処理するために複数の、すなわち少なくとも２つの異なる変調方式を利用可能な一般的な通信システムに適用可能である。
【００２１】
図１は、本発明の教示を適用可能な無線通信システムの一部の概要を模式的に示す図である。図１においては、図を単純にするため、本発明に関係する構成のみを示している。無線通信システム１は、ＥＤＧＥ(Enhanced Data rates for GSM Evolution)技術を採用したＧＰＲＳ(General Packet Radio System)システムであるか、ＥＧＰＲＳ(Enhanced GPRS)システムであって良い。
【００２２】
通常、通信システム１は、接続された複数の移動機１００に通信リンクを提供する複数の基地局（ＢＳ）又は基地送受信器局（ＢＴＳ）４００，４２０を備える。これらの基地局４００，４２０は一般に、基地局制御装置（ＢＳＣ）３００又は無線ネットワーク制御装置（ＲＮＣ）に接続及び制御される。ＢＳＣ３００は、移動機への通信リンク４１０に使用する変調方式を、移動機４１０及び／又は基地局４００，４２０からのリンク品質測定値又は推定値に基づいて選択するための機能又は装置２００を含んでいる。図において、この変調方式選択装置は、パケット制御装置（ＰＣＵ）２００によって表されるが、それには限定されない。
【００２３】
動作時に、移動機１００は、自らが属する基地局４００との（ダウンリンク）通信リンク又はチャネル４１０について、信号又はリンク品質の測定を実行する。これらの測定結果に基づいて、リンク品質指標が決定もしくは推定される。この決定されたリンク品質指標は、しかしながら、使用されていた変調方式であり、リンク４１０で受信されたデータに適用された変調方式に依存している。ある通信リンクに用いる変調方式の選択はリンク品質に基づいており、さらにこのリンク品質は使用された変調方式に依存しているため、正しい方式選択を実施するためには、現在使用されていない１つ以上の変調方式についての対応するリンク品質指標を推定しなければならない。
【００２４】
従来のシステムにおいて、この、使用されていない１つ以上の変調方式についてのリンク品質の推定はＰＣＵ２００で実施されるが、本発明によれば、移動機１００で実施される。背景技術の欄で説明したように、中央ＰＣＵに基づく、異なる変調方式間のリンク品質のマッピング又は変換を利用した場合、ある移動機について最適でない変調方式が選択される虞がある。これは、異なる変調方式間の相対的な性能が、移動機の型式やメーカによって同一でないことによる。代わりに、変調に依存したリンク品質の決定を移動機１００に実装させることで、その移動機１００に固有の能力、例えば異なる変調方式及び受信アルゴリズム間の実際の性能差が、リンク品質マッピングにおいて考慮されることになる。その結果、ずっと精度の良い変調方式の選択が実行されるであろう。
【００２５】
図２は、本発明に係る移動機１００の実施形態を示すブロック図である。移動機１００は、外部装置及び外部局との通信を実行するための入出力（Ｉ／Ｏ）装置１１０を含んでいる。このＩ／Ｏ装置１１０は、特に、移動機１００が接続されている基地局からの、変調データを含む無線ブロックを受信するために構成されている。
【００２６】
移動機１００はさらに、その基地局との１つ以上の無線又は通信リンクで信号測定を実行する、無線リンク測定装置又は無線リンク測定器１２０を含んでいる。この測定装置１２０はさらに、現在そのリンクで受信されるデータに使用されている変調方式に依存したリンク品質指標を求める。例えば、現在ＧＭＳＫ変調が用いられているとすると、無線リンク測定器１２０は第１のＧＭＳＫ依存リンク品質指標を決定するであろう。しかし、代わりに８−ＰＳＫが用いられたとすると、２つの変調方式について無線環境が同一であっても、無線リンク測定器１２０は、第２の（通常は異なる）８−ＰＳＫ依存のリンク品質指標を生成するであろう。
【００２７】
無線リンク測定装置１２０は好ましくは個々の受信バースト又は無線ブロックに対してリンク測定を実行し、これらの測定結果に基づいて第１のリンク品質指標を生成する。或いは、間欠的又は周期的、例えば受信無線ブロック１つおき、１００ｍｓおき、又は他の周期的な間隔で信号測定を行なうように測定装置１２０を構成してもよい。
【００２８】
現在使用中の変調方式についての第１のリンク品質指標は、ビット誤り確率（ＢＥＰ）又は、当技術分野において使用される他の信号又はリンク品質指標によって表現されても良い。
【００２９】
本発明の好ましい実施形態において、リンク品質指標は、複数の受信バースト又は所与の時間に渡る平均品質指標、例えば平均ＢＥＰである。この平均品質指標は、異なる受信無線ブロックで異なる重み付けを用いる重み付け平均指標であってもよい。
【００３０】
そのような場合、測定結果に用いられる重みは、受信時刻が古い無線ブロックよりも、新しい無線ブロックに対して大きくされることが好ましい。従って、重み付け平均リンク品質指標は、可能な範囲で正確に、現在の無線品質環境及び通信リンクについての状況を反映するであろう。
【００３１】
無線リンク測定器１２０を、第１の（使用中の）変調方式に対して１つのリンク品質指標を決定又は推定するものとして説明してきたが、この変調器１２０が、複数のリンク品質指標をこの第１の変調方式に関して求めても良い。例えば、指標は平均ＢＥＰ及びＢＥＰの変動係数を含んで良く、これらはいずれも使用される変調方式に依存するであろう。従って、本発明において、変調方式に依存するリンク品質指標に関して述べる場合、それは所与の変調方式に関連する複数の（関連）指標についても含んでいる。
【００３２】
以下においては、通信リンクに現在ＧＭＳＫ変調が用いられているものとする。従って、無線リンク測定器１２０は第１のＧＭＳＫ依存リンク品質指標を決定するであろう。従って、この例において現在用いられていない変調方式は、８−ＰＳＫである。しかし、これは単なる例示として理解されるべきであり、本発明は、移動機１００へのダウンリンクデータに８−ＰＳＫや他の変調方式が現在用いられているような場合であっても適用可能である。
【００３３】
使用されていない変調方式についての対応するリンク品質指標、即ち、本例では８−ＰＳＫ依存リンク指標を推定するため、リンク品質推定装置又は推定器１３０が移動機１００に設けられている。この推定器１３０は、無線リンク測定器１２０によって決定されたＧＭＳＫ依存リンク品質指標及び／又は測定器１２０から得られたＧＭＳＫ依存リンク品質測定結果に基づいて、８−ＰＳＫ依存リンク指標を推定するように構成される。
【００３４】
無線通信システムが３つ以上の異なる変調方式を利用可能な場合、推定器１３０はそれら変調方式のうち、使用されていないものの１つ以上、好ましくは全ての変調方式について、変調方式に依存するリンク品質を推定するように構成されうる。
【００３５】
第１の実施形態において、リンク品質推定器１３０は、測定器１２０がＧＭＳＫ変調について生成したリンク品質指標に対応する、８−ＰＳＫ変調についてのリンク品質指標を生成するように構成される。これは、ＧＭＳＫに依存する指標がＢＥＰにより表されている場合、推定器はＧＭＳＫ指標に基づいて、８−ＰＳＫに依存するＢＥＰ値を生成することを意味する。同様に、ＧＭＳＫ指標が平均ＢＥＰと変動係数によって表される場合、推定器１３０は８−ＰＳＫに依存した平均ＢＥＰと変動係数を生成する。
【００３６】
代替実施形態において、移動局１００が接続される基地局は、ＧＭＳＫ（８−ＰＳＫ）を現在用いるべきであっても、８−ＰＳＫ（ＧＭＳＫ）を用いて変調した無線ブロック又はデータを間欠的又は周期的に送信させられる。しかし、現在の変調がＧＭＳＫであるとすると、対応するＧＭＳＫブロックよりも失われやすい８−ＰＳＫブロックの間欠的の伝送は、移動機（１００）に検出されずに終わってしまう可能性がある。この問題は、例えば他の８−ＰＳＫ関連ＭＣＳ（ＭＣＳ６−９）よりも誤りに強いＭＳＣ５を選択するといったように、基地局が８−ＰＳＫに関連する最適な変調符号化方式（ＭＣＳ）を選択することによって低減されるであろう。
【００３７】
そして、いくらかの８−ＰＳＫ変調データを供給することで、そのデータに対し、測定器１２０によって８−ＰＳＫに依存する測定を実施することが可能となる。推定器１２０はこの測定結果を推定器１３０に転送する。このリンク品質推定器１３０は、これらの８−ＰＳＫ測定結果を、測定器１２０からのＧＭＳＫに依存するリンク品質データととともに、対応する８−ＰＳＫ依存リンク品質指標の決定処理に用いる。このように、リンク品質推定を、所与の変調方式についての実際の測定結果に基づいて行なうことにより、他の変調方式についての測定結果のみを用いて行なう推定よりも、通常は精度の良い推定結果が得られる。より精度の高いリンク品質測定結果を得るために、現状最適でない変調方式により変調された無線ブロックを含めるこの方式は、ダウンリンク通信に容易に実装可能である。例えば、ＧＰＲＳ及びＥＧＰＲＳが混在している場合、移動機によるアップリンク状態フラグ（ＵＳＦ）復号化を可能とするために８−ＰＳＫが用いられている場合であっても、既に、かつ標準的に、ＸブロックごとにＧＭＳＫを用いた伝送が用いられている（Ｘは１より大きな正数で、例えば４）。
【００３８】
さらに別の実施形態において、リンク品質推定器１３０は、使用されていない８−ＰＳＫについて、現在使用されているＧＭＳＫ変調についてのリンク品質よりも粗いリンク品質を生成するように構成される。例えば、無線リンク測定器１２０からのＧＭＳＫリンク品質指標が平均ＢＥＰと変動係数で表される場合、対応する８−ＰＳＫ指標はＢＥＰ値だけであっても良い。或いは、複数のＧＭＳＫリンク品質値の区間(interval)を表すために、８−ＰＳＫに依存する値を１つ用いることも可能である。例えば、決定されたＧＭＳＫ依存リンク品質指標が、Ｘ１＜ＧＭＳＫ指標＜Ｘ２（Ｘ１＜Ｘ２で、これらは実数である）の区間内に存在する場合、対応する８−ＰＳＫ指標依存指標の推定値はＹ１であるべきであり、その一方で、Ｘ２＜ＧＭＳＫ指標＜Ｘ３であれば、Ｙ２が８−ＰＳＫ依存指標として選択される。Ｘ３，Ｙ１，Ｙ２はいずれも実数である。
【００３９】
一部の通信システムでは、８−ＰＳＫ変調ブロックに対する最大送信電力レベルと異なる最大送信電力レベルがＧＭＳＫ変調無線ブロックに用いられることがある。その理由は、基地局送信器の電力増幅器の非線形特性が、８−ＰＳＫでの使用を難しくしているからかもしれない。基地局はその後、ＧＭＳＫに使用した電力レベルと、８−ＰＳＫについての対応レベルを移動機１００に報告しても良い。或いは、ＧＭＳＫ電力レベルと８−ＰＳＫ電力レベルの比やそれらの差のような、電力レベルから得られる電力量や、それら電力レベルから導き出される他の量を、移動機１００に通信してもよい。そして、リンク品質推定器１３０は、受信した電力データ又は電力量を８−ＰＳＫ依存リンク品質指標の推定に利用するように構成される。これにより、一層高精度な推定値が得られるであろう。
【００４０】
そして、無線リンク測定器１２０からのＧＭＳＫ依存リンク品質指標と、リンク品質推定器１３０からの対応する８−ＰＳＫ依存リンク品質指標は、選択情報生成装置又は生成器１４０へ転送される。この生成装置１４０は受信したこれらの品質指標に基づき、選択情報を生成する。この情報は、移動機１００へのダウンリンクに用いるべき変調方式を選択又は決定するための基準となる。
【００４１】
受信した変調方式依存リンク品質指標の各々が基本的に複数の値、例えば平均値や分散値を含んでいる場合、生成器１４０は、情報生成において、それら値の全てを考慮するか、そのうちの１つの値のみを考慮するか、それら値のサブセット（例えば、個々の変調方式の平均ＢＥＰ値）を考慮するように構成されうる。
【００４２】
従って、選択情報は、測定器１２０及び推定器１３０からの（２つの）決定された変調方式依存リンク品質指標を含みうる。あるいは、情報は、（測定器１２０からの）現在使用中の変調方式に対するリンク品質指標と、２つのリンク品質指標から得られる量（例えばＧＭＳＫ指標と８−ＰＳＫ指標との差）又は選択情報中のＧＭＳＫ指標を用いて８−ＰＳＫ指標を決定することが可能な他の量を含む。
【００４３】
生成された選択情報は、その後、Ｉ／Ｏ装置１１０を用い、例えば図１のＰＣＵのような、接続された移動機に代わって通信システム内で変調方式の選択を行なう外部装置へ送信されることが好ましい。従って、この選択情報は、その外部装置における決定並びに選択処理のための基準を形成する。
【００４４】
本技術分野で周知なように、２つの変調方式８−ＰＳＫ及びＧＭＳＫは、システム内で空中伝送されるデータを符号化するために用いる変調及び符号化方式（ＭＣＳ）のうち、異なるＭＣＳに関連付けされている。変調方式の選択に関し、適切なＭＣＳの実際の選択は、無線リンク品質の測定結果に依存するのが普通である。これは、選択情報が、移動機１００へのダウンリンクに用いるのに適切なＭＣＳを選択する際にも利用されたり、ＭＣＳの選択にだけ使用されたりしてもよいことを意味している。
【００４５】
選択情報生成器１４０は、Ｉ／Ｏ装置１１０を介して、選択情報を間欠的又は周期的に外部装置（ＰＣＵ）に送信するように構成されうる。あるいは、又はさらに、選択情報は、ＰＣＵからの報告要求受信に応じて、ＰＣＵに報告されても良い。
【００４６】
リンク品質推定器１３０及び選択情報生成器１４０、さらに必要に応じて無線リンク測定器１２０は、移動機１００での構成及び動作に適合された情報生成装置１９０に実装されても良い。
【００４７】
移動機１００の各装置１１０〜１４０は、ソフトウェア、ハードウェア又はそれらの組み合わせによって実装されうる。
【００４８】
この、移動機を利用した変調方式選択は、いかなる時点においても、通信ネットワークが最適な変調方式を選択するのに役立ち、それによりユーザビットレート及びシステム容量の増加に寄与する。本実施形態においては、たとえ１つの変調方式だけが情報報告イベント間に用いられていても、８−ＰＳＫ依存リンク品質とＧＭＳＫ依存リンク品質の両方を報告するので、変調方式間のよりスムーズな遷移を容易にする。
【００４９】
図３は、図２のリンク品質推定器１３０の模式的なブロック図である。推定器１３０は、異なる８−ＰＳＫ及びＧＭＳＫリンク品質値をリストするリンク品質マップ又はテーブル１３４を含んでいる。このようなテーブル１３４により、異なる変調依存品質値間のマッピング又は変換が可能になる。従って、テーブル１３４は、所与のＧＭＳＫ品質値に対応する８−ＰＳＫ値（及び８−ＰＳＫ値に対応するＧＭＳＫ値）を有している。つまり、推定器１３０のリンク品質マッププロセッサ１３２は、無線リンク測定器から測定及び決定されたＧＭＳＫリンク品質指標を受信すると、テーブル１３４を参照し、対応する８−ＰＳＫリンク品質指標を読み出す。
【００５０】
テーブル１３４は２つの異なる変調方式について、同程度の細かさの品質指標を含むように実現されても良い。例えば、対応する８−ＰＳＫ指標を読み出すのに平均ＢＥＰとその分散が用いられるとすると、８−ＰＳＫ依存ＢＥＰ平均値及び分散がテーブル１３４から得られてよい。代わりに、例えば１つのＢＥＰだけのように、平均値及び分散値に比べて粗い値が読み出されるようにしてもよい。３つ以上の変調方式が利用可能である場合、推定器１３０にいくつかのテーブル１３４を実装しても良いし、全ての方式について異なるリンク品質値をリスト可能な１つのテーブル１３４を実装しても良い。
【００５１】
或いは、テーブル１３４を省略し、プロセッサ１３２が代わりにリンク品質マッピング又は変換のアルゴリズムや関数を用いても良い。従って、そのような関数は、無線リンク測定器からのＧＭＳＫ依存リンク品質及び／又はＧＭＳＫ依存測定結果を入力パラメータとして持ち、対応する８−ＰＳＫ依存品質指標を出力する。基地局から間欠的に受信される無線ブロック及び／又は電力レベルデータに対する８−ＰＳＫ測定結果のような、他の入力パラメータもまた、８−ＰＳＫ指標のより精度良い推定値を得るため、その関数で用いることができる。ＧＭＳＫ指標が２つの値で表される場合、その関数は１つ又は２つの８−ＰＳＫ値を出力しうる。また、ＧＭＳＫ値から８−ＰＳＫ値への変換と、８−ＰＳＫ値からＧＭＳＫ値への変換とで、１つの共通した関数を用いることも可能であるかも知れない。また、３つ以上の変調方式を利用可能である場合、いくつかの異なる変換関数をプロセッサ１３２で実行してもよい。
【００５２】
マッピングテーブル１３４及び／又は上述の関数は、移動機の性能に基づいて、特にはその移動機において利用可能な変調方式の特定のバージョン及び型式と、受信機アルゴリズムに基づいて生成されることが好ましい。そのようなテーブル又は関数は、移動機又は移動機に実装される変調ソフトウェア及び／又はハードウェアについての、標準的な実験室測定及び／又はシミュレーションに基づいて生成することができる。異なる変換方式について、移動機に適合されたリンク品質変換を行なうことで、通信システム内の全型式の移動機に対してネットワーク内の中央マッピング機能を用いる場合よりも、リンク品質推定の質を向上させ、一層精度良い選択情報を得ることが可能となる。
【００５３】
このようにして、プロセッサ１３２は、移動機内の他の装置又は外部装置から、ＧＭＳＫ指標と、場合により８−ＰＳＫ測定結果及び電力レベル量など他の入力データとを受信し、それらを推定８−ＰＳＫリンク品質指標の生成に使用するように構成される。
【００５４】
本発明の第１の実施形態において、テーブル１３４又は関数は、ＧＭＳＫ及び８−ＰＳＫ変調の起こりうる様々な伝送電力レベルを考慮するように構成されていた。これは、テーブル１３４が、電力レベル量の異なる値がなければ、ＧＭＳＫ値の各々に対し、いくつかの８−ＰＳＫ値をリストしうることを意味している。或いは、プロセッサ１３２は、８−ＰＳＫ値がテーブル１３４から読み出されたら、その値を電力レベル量に基づいて修正してもよい。
【００５５】
リンク品質推定器１３０の装置１３２は、ソフトウェア、ハードウェア又はそれらの組み合わせによって実施することができる。装置１３２及びテーブル１３４は、推定器１３０内に全て実装することができる。しかし、装置１３２及び／又はテーブル１３４を移動機内の他の場所に設ける分散実装も可能である。
【００５６】
図４は、本発明に係る移動機１００の別の実施形態を示すブロック図である。Ｉ／Ｏ装置１１０、無線リンク測定器１２０及びリンク品質推定器１３０は図２における対応構成要素と類似であるため、これ以上の説明は行なわない。
【００５７】
移動機１００は、測定器１２０からＧＭＳＫ依存リンク品質指標を、推定器１３０から対応する推定８−ＰＳＫ依存指標を受信するリンク品質比較装置又は比較器１５０を含んでいる。そして、変調方式選択器１６０は、比較器１５０の比較動作に基づいて、これら変調方式の１つを選択する。この選択器１６０は通常、比較器１５０による比較に基づき、通信リンクに対して最良のリンク品質をもたらす変調方式を選択する。選択器１６０はまた、選択された変調方式の通知又は識別情報を生成する。ＧＭＳＫと８−ＰＳＫのような２つの方式のみが利用される場合、選択され、現状好ましい変調を表すために１つのビットを用いることができる。しかし、３つ以上の変調が移動機１００に対して利用可能である場合には、選択された変調の識別子として２ビット以上を使用する必要があるだろう。
【００５８】
さらに、選択器１６０は、適切な変調方式に加え、通信リンク上で用いるための変調及び符号化方式を選択するように構成されても良い。この選択もまた、入力リンク品質指標についての比較器１５０の動作に基づく。そして、選択器１６０は、選択されたＭＣＳの通知又は識別情報を、変調の通知又は識別情報の代わりに、或いはそれとは別に生成することができる。
【００５９】
この（１つ又は複数の）識別情報は、その後、選択情報生成器１４０に提供される。このようにして、本発明の本実施形態においては、使用すべき変調方式及び／又はＭＣＳの選択を移動機１００自身が実行し、そのためＰＣＵへ伝送される選択情報はこの選択の結果、すなわち（１つ又は複数の）識別情報、を含む。ＰＣＵは、移動機１００から受信した報告において提案された変調方式及び／又はＭＣＳを、その移動機１００と基地局との間の通信リンクに対して選択することができる。
【００６０】
さらに、選択情報は、図２とともに上述したようなリンク品質指標をも含みうる。そして、選択情報と共に報告を受信する装置（ＰＣＵ）は、必要に応じ、同様のリンク品質比較並びに、変調方式及びＭＣＳの選択を実行することができる。ＰＣＵは、移動機１００が提案したものとは別の変調方式及び／又はＭＣＳを提案するかもしれない。これは、ＰＣＵが例えば電力レベルデータの様に、移動機１００がアクセスできない別の入力データへのアクセスが可能で、ＰＣＵがより正確な選択を実行することが可能な場合などに起こりうる。
【００６１】
従って、本実施形態における情報生成装置１９０は、リンク品質推定器１３０及び選択情報生成器１４０、さらに必要に応じて有する無線リンク測定器１２０に加え、リンク品質比較器１５０及び変調方式選択器１６０を含みうる。
【００６２】
移動機１００の各装置１１０〜１６０は、ソフトウェア、ハードウェア又はそれらの組み合わせによって実装されうる。
【００６３】
図５は、本発明に係る移動機１００の更に別の実施形態を示すブロック図である。Ｉ／Ｏ装置１１０、無線リンク測定器１2０及びリンク品質推定器１３０は図２における対応構成要素と類似であるため、これ以上の説明は行なわない。
【００６４】
本実施形態の移動機１００は、利用可能な変調方式のサブセットを用いて変調したデータに適用可能なリンク品質向上アルゴリズム又は装置１７０を利用可能である。例えば、リンク品質向上アルゴリズム１７０はＧＭＳＫ変調されたデータにのみ使用可能であり、８−ＰＳＫ変調されたデータには使用できない。一般に、そのような向上アルゴリズム１７０を用いることにより、所与の変調方式を、無線状態リンク品質が低すぎて使用できないような無線状態下においても利用できるようになる。これは、複数の変調方式の１つ又はサブセットを利用する間、移動機１００が受けるリンク品質をアルゴリズム１７０が向上させることが可能であることを意味している。例えば、向上装置１７０は干渉抑制能力又は他のリンク品質向上機能を有しうる。
【００６５】
品質向上アルゴリズムは利用可能な複数の変調方式のうち１つのサブセットにのみ適用可能であるため、適用した変調方式に対するリンク品質指標に対しては効果があるが、他の変調方式に対しては通常効果がない。つまり、得られたリンク品質向上が変調選択処理において考慮されなければ、最適でない変調が選択されうるということである。
【００６６】
さらに、向上アルゴリズム１７０のゲイン又は性能は、実際の無線環境、例えば数や仮称信号の相対強度、及び／又はトラフィック負荷にも依存しうる。これは、現在のリンク品質の増幅や向上を用いなければ、選択が一層不確かなものとなるであろうことを意味する。
【００６７】
本発明に従って適用可能なこのようなリンク品質向上アルゴリズム１７０の非限定的な例としては、ＳＡＩＣ(Single Antenna Interference Cancellation)やＡＳＩＲ(Single Antenna Interference Rejection)がある。
【００６８】
例えば、現在のＳＡＩＣアルゴリズムは、キャリア又はリンクがＧＭＳＫ変調されている場合にのみ、性能を向上させる。さらに、ＳＡＩＣによる品質向上は、干渉信号の数や相対強度に大きく依存する。これは、一部のＳＡＩＣアルゴリズムは、現在、無線環境や用いられるＳＡＩＣアルゴリズムのバージョンにより、０〜９ｄＢの間でＧＭＳＫ性能を向上させうることを意味する。従って、ＧＭＳＫと８−ＰＳＫとの相対的な性能は、ＳＡＩＣによる性能向上が選択処理に用いられなかったとすると、最大９ｄＢまでの間で流動的である。そのため、ＳＡＩＣ性能を知ることなく正確な変調方式を選択することは非常に困難となるであろう。
【００６９】
起こりうる問題の一例として、現状選択されているＭＣＳがＧＭＳＫ変調であるダウンリンク伝送を考える。さらに、無線環境がＳＡＩＣに適しており、かつＣ／Ｉが、移動機から非常によい品質であるとのリンク品質レポートが得られる程度に十分高い、すなわち、ネットワーク又はＰＣＵへ非常に低いＧＭＳＫ ＢＥＰが報告されるものと仮定する。ＰＣＵは、ＧＭＳＫのＢＥＰが低いことの大きな要因として、ＳＡＩＣの利用があることを知らない。ＳＡＩＣは８−ＰＳＫ変調については性能向上させないため、ＰＣＵが新たなリンク品質レポートを移動機から受信し、ＧＭＳＫ変調へ戻すまでの間、多くのブロック誤り及び多くのブロック欠損があるであろう。これらは、変調方式を多数回切り替える（ピンポン効果）要因となり、最悪の場合、約５０％のブロックを再送する結果となる。
【００７０】
従って、リンク品質向上生成器又は生成装置１８０は、アルゴリズム１７０の動作による品質向上を求めるため、移動機に実装されることが好ましい。この品質向上は、複数の無線ブロック又は所定の期間にわたる平均利得、例えば最後に測定レポートが生成され、ＰＣＵへ伝送されてからの平均利得であってよい。
【００７１】
向上アルゴリズム１７０は通常、あるバーストにおいて実行され、別のバーストにおいては実行されないので、移動機１００は、そのアルゴリズムに関連する変調方式によって変調された全受信バーストから、向上されたリンク品質を推定するための選択を、また、アルゴリズムが実行されていないバーストから、向上されていないリンク品質を推定するための選択を、それぞれ簡単に行なうことが可能である。これら２つのリンク品質は、アルゴリズム１７０の性能向上を求めるために利用することができる。
【００７２】
生成器１４０が求める選択情報は、このリンク品質向上値に基づいて求められる及び／又は、その向上値は、基本的に情報に含められる。例えば、選択情報は、８−ＰＳＫ依存リンク品質指標と、リンク品質向上アルゴリズム１７０を動作させたものとして求められたＧＭＳＫ依存リンク品質指標と、生成された向上値とを含みうる。
【００７３】
或いは、選択情報は、８−ＰＳＫ依存リンク品質指標と、リンク品質向上アルゴリズム１７０を動作させたものとして求められたＧＭＳＫ依存リンク品質指標と、リンク品質向上アルゴリズム１７０を利用しないものとして求められたＧＭＳＫ依存リンク品質指標とを含みうる。
【００７４】
上述したように、選択情報が生成器１４０によって求められると、選択情報はＩ／Ｏ装置１１０によってＰＣＵへ送信される測定レポートに含められる。本実施形態に係る移動器１００の教示は、図４とともに説明した移動機の実施形態と組み合わせても良い。つまり、移動機１００は測定されたリンク品質指標及び推定されたリンク品質指標と、求められたリンク品質向上に基づいて好適な変調方式を選択する。
【００７５】
本実施形態における情報生成装置１９０は、リンク品質推定器１３０及び選択情報生成器１４０、さらに必要に応じて有する無線リンク測定器１２０に加え、リンク品質向上アルゴリズム１７０、リンク品質向上生成器１８０を含む。
【００７６】
移動機１００の各装置１１０〜１４０及び１７０、１８０は、ソフトウェア、ハードウェア又はそれらの組み合わせによって実装されうる。
【００７７】
図６は、図５のリンク品質向上生成器１８０の実施形態を示すブロック図である。本実施形態において、向上アルゴリズムを適用可能な１つ以上の変調方式についてのリンク品質は、そのアルゴリズムを利用しない場合と、利用する場合の両方について求められる。これは、その１つ以上の変調方式について、通常２つのリンク品質指標が求められることを意味する。指標がＢＥＰで表されるとすると、アルゴリズムを用いて求められた方の指標が通常は良好、即ち小さい値となる。向上生成器１８０内には、ある１つの変調方式についてのこれら２つのリンク品質指標を比較するためのリンク品質比較器又は比較装置１８２が設けられる。リンク品質向上はそれら品質指標の差や比として表現されても良い。
【００７８】
リンク品質向上生成器１８０の装置１８２は、ソフトウェア、ハードウェア又はそれらの組み合わせによって実施することができる。装置１８２は、生成器１８０内に実装することができる。しかし、装置１８２を移動機内の他の場所に設ける分散実装も可能である。
【００７９】
図７は、図５のリンク品質向上生成器１８０の別の実施形態を示すブロック図である。本実施形態は、アルゴリズム起動カウンタ１８４を含む。上述の通り、リンク品質向上アルゴリズムは、通常、一部の受信バースト又は無線ブロックに対して動作し、それ以外に対しては動作しない。例えば、ＳＡＩＣは、受信したＧＭＳＫ変調無線ブロックの全てに対して動作させられてもよい。しかし、外部無線環境の状況により、適用による性能の向上が見込まれない場合や、むしろリンク品質を低下させる虞のあるような状況では、ＳＡＩＣは通常動作しないように制御される。アルゴリズムの動作が見込まれる無線ブロックを計数することで、カウンタ１８４は動作率(activation ratio)を求めることができる。このような比率は、例えば、アルゴリズムが動作した無線ブロックの数を、アルゴリズムを動作可能であったブロックの総数、すなわち、ＳＡＩＣであれば受信ＧＭＳＫブロックの総数で割ることにより規定することができる。
【００８０】
動作率は、そのアルゴリズムによってリンク品質の向上がなされたことの（粗い）目安となりうる。動作率はまた、より正確な品質向上を規定するため、必要に応じ、そのアルゴリズムの動作によって得られる平均的な能力向上のデータによって補完されても良い。或いは、所定の動作率が平均してどの性能向上に対応するかを割り出すため、実験室測定を行なっても良い。例えば、動作率７５％を、７ｄＢの向上を表すために用いたり、所与の平均的な向上、例えば７ｄＢを、動作率の範囲（例えば１００−７５％）によって表しても良い。これは、カウンタ１８４が、動作率が８３％であろうと判定した場合、この具体例においては、アルゴリズムによりリンク品質が７ｄＢ向上するということになる。
【００８１】
リンク品質向上生成器１８０の装置１８４は、ソフトウェア、ハードウェア又はそれらの組み合わせによって実施することができる。装置１８４は、生成器１８０内に実装することができる。しかし、装置１８４を移動機内の他の場所に設ける分散実装も可能である。
【００８２】
図８は、ネットワーク内の移動機に代わって変調方式の選択を実行する装置２００のブロック図である。図において、この装置は、パケット制御装置２００で表されているが、それには限定されない。ＰＣＵ２００は、外部装置との通信を実行するためのＩ／Ｏ装置２１０を含んでいる。Ｉ／Ｏ装置２１０は、特に、通信システムに接続される移動機からのリンク品質測定レポートを受信するように構成される。
【００８３】
要求メッセージを生成する測定要求生成器２２０が必要に応じてＰＣＵ２００に設けられ、メッセージはＩ／Ｏ装置２１０が移動局へ送信する（基地局を介してもよい）。生成器２２０はそれらのレポートを間欠的又は周期的に生成するように構成されうる。しかし、移動機が、要求を受信しなくてもそのようなレポートを自動的にＰＣＵ２００へ送信する場合には、生成器２２０をＰＣＵ２００から取り除いても良い。
【００８４】
ＰＣＵ２００はまた、移動機からの選択情報に基づいて、その移動機への（ダウンリンク）チャネルに用いる変調方式を選択する変調方式選択器２３０を含んでいる。従って、受信した選択情報は、選択器２３０が決定処理において用いる選択基準を構成する。上述したように、選択情報は以下の情報を含みうる。１）ＧＭＳＫ及び８−ＰＳＫリンク品質、２）ＧＭＳＫ及び８−ＰＳＫリンク品質の一方と、ＧＭＳＫ及び８−ＰＳＫリンク指標から得られた指標、３）３つ以上の変調方式が利用可能な場合において、少なくとも２つの方式について、好ましくは全ての利用可能な指標についてのリンク品質、４）１）〜３）のいずれかに従ったデータと、リンク品質向上値、５）１）〜３）のいずれかに従ったデータと、リンク品質向上アルゴリズムについての動作比、６）好ましい変調方式の表示、７）好ましいＭＣＳの表示、８）好ましい変調方式及びＭＣＳの表示、又は９）１）〜８）のいずれかに従ったデータの組み合わせ。
【００８５】
選択器２３０はまた、選択情報に基づいてＭＣＳを選択するように構成されうる。
【００８６】
受信した選択情報が、電力レベルを考慮して、すなわち、基地局の送信電力レベルが変調方式に応じて異なりうるという事実に基づいて、移動機により生成されたものでない場合、選択器２３０はそのような電力データを選択処理において使用することも可能である。必要に応じて設けられる電力コマンド生成器２４０は、その移動機と通信している基地局へ電力レベル要求を送信する。この要求は、基地局に電力レベルデータをＰＣＵ２００へ返送するよう強制する。そして、選択器２３０は、一層精度良く品質指標を得て、一層精度良く変調方式選択を可能とするため、受信した電力データに基づき、移動機からのリンク品質指標を修正しても良い。
【００８７】
電力コマンド生成器２４０はさらに、又は代わりに、電力コマンドを基地局に送信し、データをＰＣＵ２００へ報告する代わりに、或いは報告の補完物として、基地局から移動機に電力レベルデータを報告させても良い。
【００８８】
変調方式変更コマンドを生成するための装置２５０を、必要に応じてＰＣＵ２００に設けても良い。装置２５０は間欠的又は周期的に変更コマンドを基地局に送信し、基地局に、現在用いられていない変調方式によって変調されたデータを間欠的又は周期的に移動機へ送信させる。この一時的な変調方式の変更により、移動機は現在用いられていない他の変調を用いて変調されたデータに対するリンク品質測定を行なうことが可能になり、従って、その変調に対するリンク品質の一層正確な推定が実現される。
【００８９】
ＰＣＵ２００の各装置２１０〜２５０は、ソフトウェア、ハードウェア又はそれらの組み合わせによって実装されうる。２１０〜２５０の各装置は、通信システムにおける単独のネットワークノード内のＰＣＵ２００に全てを実装しても良い。しかし、２１０〜２５０の各装置を異なるネットワークノードに設けるような分散実装もまた可能である。例えば、生成器２４０及び２５０の機能を他の基地局に実装しても良い。
【００９０】
図９は、ある移動機についての変調方式を選択するための決定又は選択情報を生成する方法を示すフローチャートである。この方法はステップＳ１で始まり、移動機が、基地局からの通信リンク上で受信した無線ブロック又はバーストに対し、変調方式に依存する信号又はリンク品質の測定を実施する。これらの測定結果に基づき、現在用いられている変調方式（変調方式１）についてのリンク品質指標が求められる。次に、ステップＳ２において、利用可能ではあるが現在は用いられていない１つ以上の他の変調方式（変調方式２）について、対応するリンク品質指標が推定される。この推定は、現在の変調について求めたリンク品質、及び／又はその変調についての測定結果に基づいて実行される。最後に、ステップＳ３で、求めたリンク品質指標及び推定したリンク品質指標に基づいて選択情報を生成する。この情報は、その移動機について用いるのに適切な変調方式及び／又はＭＣＳの選択に用いられるであろう。そして、方法は終了する。
【００９１】
図１０は、図９におけるリンク品質推定ステップをより詳細に説明するフローチャートである。方法はステップＳ１に続くものである。次のステップＳ１０で、移動機は通信中の基地局から、送信電力レベルデータを受信する。そして、移動機は、この電力データに基づき、他の複数の変調に関する個々の電力を求めることが可能になる。そういった電力情報は、変調に依存したリンク品質指標を決定するための処理において用いられる。移動機はまた、ステップＳ１１において、現在用いられていない（又は最適な）１つ以上の変調方式によって変調されたデータ／ブロックを、間欠的又は周期的に受信する。これにより、移動機は、それら１つ以上の変調について、実際の測定を行なうことが可能になり、それによってそれらの変調についてのリンク品質推定精度が向上する。これは、現在用いられている変調についてのリンク品質指標とそれらの測定結果の両方、さらに必要に応じて電力データをも推定に利用可能であることを示す。次のステップＳ１２では、現在用いられている変調について測定及び決定されたリンク品質指標を入力として、ルックアップテーブルを用いる。そのようなテーブルは、第１の変調についての指標のリストと、１つ以上の第２の変調についての対応値を含んでいる。あるいは、第１の変調の指標を入力として１つ又はいくつかの変換関数を用い、第２の変調についてのリンク品質推定値を出力させても良い。テーブル及び関数は、特定の移動機の機能や能力に適合されても良い。そして、方法は図９のステップＳ３へ続く。
【００９２】
図１１は図９の方法の追加ステップを説明するフローチャートである。この方法はステップＳ２に続くものである。ステップＳ２０では、最良のリンク品質及び関連する変調を決定するため、他の複数の変調についてのリンク品質指標を比較する。そしてステップＳ２１において、この比較に基づいて、現状で最高又は最適な変調方式が選択される。指標がＢＥＰであれば、最も低いＢＥＰに関連する変調が通常はこのステップで選択される。必要に応じて行なわれるステップＳ２２では、この選択された変調方式に対応するＭＣＳが選択される。選択された変調及び／又はＭＣＳの識別情報は、方法がステップＳ３へ続くことで、選択情報に含められる。
【００９３】
図１２は、図９の方法の追加ステップを示すフローチャートである。この方法はステップＳ１から続くものである。ステップＳ３０で、利用可能な変調方式のサブセット（例えばそれらのうち１つ）を用いて変調されたデータに対して品質向上アルゴリズムを動作させることで、リンク品質向上が生成される。このリンク品質向上は、次のステップＳ２の推定処理において用いられる、とともに／あるいは、選択情報に含められる。
【００９４】
図１３は、図１２における向上生成ステップの実施形態を説明するフローチャートである。方法はステップＳ１に引き続く。次のステップＳ４０において、向上アルゴリズムに関連する１つ以上の変調方式についてのリンク品質が、アルゴリズムを動作させずに決定される。ステップＳ４１は、この、アルゴリズムを動作させない状態でのリンク品質を、同じ変調でアルゴリズムを動作させた際の対応するリンク品質指標と比較する。そして、リンク品質向上利得を、これら２つのリンク指標に基づいて決定することが可能になる。そして、方法はステップＳ２へ続く。
【００９５】
図１４は、図１２における向上生成ステップの別の実施形態を説明するフローチャートである。この方法はステップＳ１に引き続く。次のステップＳ５０において、向上アルゴリズムの動作率が求められる。この比率は通常、アルゴリズムが動作したバーストの数を、アルゴリズムを動作可能であったバーストの総数で割ったものとして表現することができる。リンク品質向上は、少なくともこのような動作率に基づいて推定することが可能であり、また必要に応じ、そのアルゴリズムについての平均向上利得といった他のデータを用いて推定することも可能である。
【００９６】
図１５は、図９の方法の追加ステップを示すフローチャートである。この方法はステップＳ３から続くものである。ステップＳ６０で、生成された選択情報が、通信ネットワーク内で変調選択を実行する装置、例えばＰＣＵへ報告される。この報告はＰＣＵに間欠的又は周期的に送信されても良い。或いは、又はさらに、この報告をＰＣＵからの要求受信時に送信するようにしてもよい。
【００９７】
本技術分野に属する当業者は、特許請求の範囲により規定される本発明の範囲内で、本発明に対して様々な修正や変更を行ないうることを理解するであろう。
【図面の簡単な説明】
【００９８】
【図１】本発明の教示を適用可能な無線通信システムの一部の概要を模式的に示す図である。
【図２】本発明に係る移動機の実施形態を示すブロック図である。
【図３】図２におけるリンク品質推定器をより詳細に示すブロック図である。
【図４】本発明に係る移動機の別の実施形態を示すブロック図である。
【図５】本発明に係る移動機のさらに別の実施形態を示すブロック図である。
【図６】図５におけるリンク品質向上生成器の実施形態をより詳細に示すブロック図である。
【図７】図５におけるリンク品質向上生成器の別の実施形態をより詳細に示すブロック図である。
【図８】本発明に係るパケット制御装置のブロック図である。
【図９】本発明に係る選択情報生成方法を説明するフローチャートである。
【図１０】図９におけるリンク品質推定ステップをより詳細に説明するフローチャートである。
【図１１】図９の方法の追加ステップを説明するフローチャートである。
【図１２】図９の方法の追加ステップを説明するフローチャートである。
【図１３】図１２におけるリンク品質向上生成ステップの実施形態を説明するフローチャートである。
【図１４】図１２におけるリンク品質向上生成ステップの別の実施形態を説明するフローチャートである。
【図１５】図９の方法の追加ステップを説明するフローチャートである。
【図１】
2007534199.tif 000003
【図２】
2007534199.tif 000004
【図３】
2007534199.tif 000005
【図４】
2007534199.tif 000006
【図５】
2007534199.tif 000007
【図６】
2007534199.tif 000008
【図７】
2007534199.tif 000009
【図８】
2007534199.tif 000010
【図９】
2007534199.tif 000011
【図１０】
2007534199.tif 000012
【図１１】
2007534199.tif 000013
【図１２】
2007534199.tif 000014
【図１３】
2007534199.tif 000015
【図１４】
2007534199.tif 000016
【図１５】
2007534199.tif 000017
【手続補正書】
【提出日】平成17年11月16日(2005.11.16)
【手続補正１】
【補正対象書類名】特許請求の範囲
【補正対象項目名】全文
【補正方法】変更
【補正の内容】
【特許請求の範囲】
【請求項１】
無線通信システム（１）において、移動機（１００）に使用可能な複数の変調方式の中から１つの変調方式を選択するための情報を生成する方法であって、
−前記移動機（１００）が、第１の変調方式を用いる通信リンク（４１０）について、第１の変調依存リンク品質を決定するステップと、
−前記移動機（１００）が、前記第１のリンク品質と前記移動機（１００）の受信機アルゴリズムの情報とに基づき、少なくとも第２の変調方式についての第２の変調依存リンク品質を推定するステップと、
−前記第１のリンク品質及び前記第２のリンク品質に基づき、前記選択のための情報を生成するステップとを有することを特徴とする方法。
【請求項２】
前記推定ステップが、前記移動機（１００）が、複数の異なる変調方式についてのリンク品質をマッピングしたテーブル（１３４）から前記第２のリンク品質を決定するステップをさらに有し、
前記リンク品質マッピングが、前記移動機（１００）の前記受信機アルゴリズムに適合されていることを特徴とする請求項１記載の方法。
【請求項３】
前記推定ステップが、前記移動機（１００）が、前記第１のリンク品質を入力とするリンク品質マッピング関数から前記第２のリンク品質を決定するステップを有し、前記リンク品質マッピング関数が、前記移動機（１００）の前記受信機アルゴリズムに適合されていることを特徴とする請求項１記載の方法。
【請求項４】
無線通信システム（１）において、移動機（１００）に使用可能な複数の変調方式の中から１つの変調方式を選択するための情報を生成する方法であって、
−前記移動機（１００）が、前記第１の変調方式で変調され、かつ通信リンク（４１０）上で受信したデータの測定を実行するステップと、
−前記移動機（１００）が、前記測定結果に基づいて第１の変調依存リンク品質を決定するステップと、
−前記移動機（１００）が、前記測定結果と前記移動機（１００）の受信機アルゴリズムの情報とに基づき、少なくとも第２の変調方式についての第２の変調依存リンク品質を推定するステップと、
−前記第１のリンク品質及び前記第２のリンク品質に基づき、前記選択のための情報を生成するステップとを有することを特徴とする方法。
【請求項５】
−前記移動機（１００）が前記第１のリンク品質と前記第２のリンク品質を比較するステップと、
−前記移動機（１００）が、前記比較に基づいて好ましい変調方式を決定するステップとをさらに有し、
前記変調方式を選択するための情報が、前記好ましい変調方式についての第１の識別情報を含むことを特徴とする請求項１乃至請求項４のいずれか１項に記載の方法。
【請求項６】
前記第１の識別情報が、前記好ましい変調方式に関する変調及び符号化方式についての第２の識別情報を含むことを特徴とする請求項５記載の方法。
【請求項７】
−前記通信リンク（４１０）上で、前記移動機（１００）へ、前記少なくとも第２の変調方式を用いて変調されたデータを間欠的に通信するステップと、
−前記移動機（１００）が、前記少なくとも第２の変調方式により変調された前記データの測定を実行するステップとをさらに有し、
前記推定ステップが、
前記第１のリンク品質、前記受信機アルゴリズムの前記情報及び前記少なくとも第２の変調方式により変調された前記データの前記測定結果とに基づいて、前記第２のリンク品質を推定するステップを有することを特徴とする請求項１乃至請求項３のいずれか１項に記載の方法。
【請求項８】
−前記通信リンク（４１０）上で、前記移動機（１００）へ、前記少なくとも第２の変調方式を用いて変調されたデータを間欠的に通信するステップと、
−前記移動機（１００）が、前記少なくとも第２の変調方式により変調された前記データの測定を実行するステップとをさらに有し、
前記推定ステップが、
前記第１の変調方式により変調されたデータの前記測定結果、前記受信機アルゴリズムの前記情報及び前記少なくとも第２の変調方式により変調された前記データの前記測定結果とに基づいて、前記第２のリンク品質を推定するステップを有することを特徴とする請求項４記載の方法。
【請求項９】
前記移動機（１００）が、前記第１の変調方式を用いる前記通信リンク（４１０）の前記リンク品質を向上させるための性能向上アルゴリズム（１７０）を用いるように適合されるとともに、
前記移動機（１００）が、前記性能向上アルゴリズム（１７０）によって得られるリンク品質性能向上の表示を生成するステップをさらに有し、
前記変調方式を選択するための情報が、前記向上表示を含むことを特徴とする請求項１乃至請求項８のいずれか１項に記載の方法。
【請求項１０】
前記向上表現生成ステップが、前記移動機（１００）が、前記性能向上アルゴリズム（１７０）を用いない前記第１の変調方式についての第３のリンク品質を推定するステップと、
−前記移動機（１００）が、前記第１のリンク品質と前記第３のリンク品質とに基づいて前記向上表示を決定するステップとを有することを特徴とする請求項９記載の方法。
【請求項１１】
前記向上表現生成ステップが、前記移動機（１００）が前記性能向上アルゴリズム（１７０）の動作率を決定するステップを有し、前記向上表現が前記決定された動作率を含むことを特徴とする請求項９記載の方法。
【請求項１２】
前記複数の変調方式の各々が、前記通信リンク（４１０）上で前記移動機（１００）へデータを通信するために用いる個別の送信電力レベルと関連付けられており、
−前記第１の変調方式に現在対応付けられている第１の送信電力レベルを求めるステップと、
−前記少なくとも第２の変調方式に関連付けられている、対応する第２の送信電力レベルを求めるステップとをさらに有し、
前記変調方式を選択するための情報が、
−前記第１の送信電力レベル及び前記第２の送信電力レベルと、
−前記第１の送信電力レベル及び前記第２の送信電力レベルから得られる量、の少なくとも１つを含むことを特徴とする、請求項１乃至請求項１１のいずれか１項に記載の方法。
【請求項１３】
無線通信システム（１）において使用可能な複数の変調方式の中から１つの変調方式を選択するための情報を生成するように適合された移動機（１００）であって、
−第１の変調方式を用いる通信リンク（４１０）について、第１の変調依存リンク品質を決定する手段（１２０）と、
−前記第１のリンク品質と前記移動機（１００）の受信機アルゴリズムの情報とに基づき、少なくとも第２の変調方式についての第２の変調依存リンク品質を推定する手段（１３０）と、
前記第１のリンク品質及び前記第２のリンク品質に基づき、前記選択のための情報を生成する手段（１４０）とを有することを特徴とする移動機。
【請求項１４】
前記推定手段（１３０）が、複数の異なる変調方式についてのリンク品質をマッピングしたテーブル（１３４）から前記第２のリンク品質を決定するように構成され、前記リンク品質マッピングが、前記移動機（１００）の前記受信機アルゴリズムに適合されていることを特徴とする請求項１３記載の移動機。
【請求項１５】
前記推定手段（１３０）が、前記第１のリンク品質を入力とするリンク品質マッピング関数から前記第２のリンク品質を決定するように構成され、前記リンク品質マッピング関数が、前記移動機（１００）の前記受信機アルゴリズムに適合されていることを特徴とする請求項１３記載の移動機。
【請求項１６】
無線通信システム（１）において使用可能な複数の変調方式の中から１つの変調方式を選択するための情報を生成するように適合された移動機（１００）であって、−前記第１の変調方式で変調されたデータを、前記通信リンク（４１０）上で受信する手段（１１０）と、
−前記受信データの測定結果に基づいて前記第１の変調依存リンク品質を決定する手段（１２０）と、
−前記受信データの前記測定結果と前記移動機（１００）の受信機アルゴリズムの情報とに基づき、少なくとも第２の変調方式についての第２の変調依存リンク品質を推定する手段（１３０）と、
前記第１のリンク品質及び前記第２のリンク品質に基づき、前記選択のための情報を生成する手段（１４０）とを有することを特徴とする移動機。
【請求項１７】
−前記第１のリンク品質と前記第２のリンク品質を比較する手段（１５０）と、
−前記比較に基づいて好ましい変調方式を決定する手段（１６０）とをさらに有し、
前記変調方式を選択するための情報が、前記好ましい変調方式についての第１の識別情報を含むことを特徴とする請求項１３乃至請求項１６のいずれか１項に記載の移動機。
【請求項１８】
前記第１の識別情報が、前記好ましい変調方式に関する変調及び符号化方式についての第２の識別情報を含むことを特徴とする請求項１７記載の移動機。
【請求項１９】
−前記通信リンク（４１０）上で、前記少なくとも第２の変調方式を用いて変調されたデータを間欠的に受信する手段（１１０）と、
−前記少なくとも第２の変調方式により変調された前記データの測定を実行する手段（１２０）とをさらに有し、
前記推定手段（１３０）が、前記第１のリンク品質、前記受信機アルゴリズムの前記情報及び前記少なくとも第２の変調方式により変調された前記データの前記測定結果とに基づいて、前記第２のリンク品質を推定するように構成されることを特徴とする請求項１３乃至請求項１５のいずれか１項に記載の移動機。
【請求項２０】
−前記通信リンク（４１０）上で、前記少なくとも第２の変調方式を用いて変調されたデータを間欠的に受信する手段（１１０）と、
−前記少なくとも第２の変調方式により変調された前記データの測定を実行する手段（１２０）とをさらに有し、
前記推定手段（１３０）が、前記第１の変調方式により変調された前記受信データの前記測定結果、前記受信機アルゴリズムの前記情報及び前記少なくとも第２の変調方式により変調された前記受信データの前記測定結果とに基づいて、前記第２のリンク品質を推定するように構成されることを特徴とする請求項１６記載の移動機。
【請求項２１】
前記第１の変調方式を用いる前記通信リンク（４１０）の前記リンク品質を向上させる性能向上手段（１７０）と、
−前記性能向上手段（１７０）の動作によって得られるリンク品質性能向上の表示を生成する手段（１８０）とをさらに有し、
前記情報生成手段（１４０）が、前記変調方式を選択するための情報を、前記向上表示に基づいて生成するように構成されることを特徴とする請求項１３乃至請求項２０のいずれか１項に記載の移動機。
【請求項２２】
前記性能向上手段（１７０）を動作させない状態での前記第１の変調方式についての第３のリンク品質を推定する手段（１２０）をさらに有し、
前記向上表示生成手段（１８０）が、前記第１のリンク品質と、前記性能向上手段（１７０）を用いない前記第１の変調方式についての第３のリンク品質とに基づいて前記向上表示を決定するように構成されることを特徴とする請求項２１記載の移動機。
【請求項２３】
前記向上表現生成手段（１８０）が、前記性能向上手段（１７０）の動作率を決定する様に構成され、前記向上表現が前記決定された動作率を含むことを特徴とする請求項２１記載の移動機。
【請求項２４】
前記複数の変調方式の各々が、前記通信リンク（４１０）上で前記移動機（１００）へデータを通信するために用いる個別の送信電力レベルと関連付けられており、前記移動機（１００）が、前記データを通信する基地局（４００）から、
−前記第１の変調方式に現在対応付けられている第１の送信電力レベルと、前記少なくとも第２の変調方式に関連付けられている第２の送信電力レベル、
−前記第１の送信電力レベル及び前記第２の送信電力レベルから得られる量、の少なくとも１つから選択された送信電力指標を受信する手段（１１０）を有し、前記推定手段（１３０）が、前記受信した送信電力指標に基づいて前記第２のリンク品質を推定するように構成されることを特徴とする請求項１３乃至請求項２３のいずれか１項に記載の移動機。
【請求項２５】
移動機（１００）内の構成に適合されるとともに、無線通信システム（１）において使用可能な複数の変調方式の中から１つの変調方式を選択するための情報を生成するように適合された情報生成装置（１９０）であって、
−第１の変調方式を用いる通信リンク（４１０）についての第１の変調依存リンク品質を決定する手段（１２０）と、
−前記第１のリンク品質と前記移動機（１００）の受信機アルゴリズムの情報とに基づき、少なくとも第２の変調方式についての第２の変調依存リンク品質を推定する品質推定器（１３０）と、
−前記第１のリンク品質及び前記第２のリンク品質に基づき、前記変調方式の選択のための情報を生成する第１の生成器（１４０）とを有することを特徴とする装置。
【請求項２６】
−前記第１のリンク品質と前記第２のリンク品質を比較する比較器（１５０）と、
−前記比較に基づいて好ましい変調方式を決定する手段（１６０）とをさらに有し、
前記変調方式を選択するための情報が、前記好ましい変調方式についての第１の識別情報を含むことを特徴とする請求項２５記載の装置。
【請求項２７】
前記第１の識別情報が、前記好ましい変調方式に関する変調及び符号化方式についての第２の識別情報を含むことを特徴とする請求項２６記載の装置。
【請求項２８】
前記第１の変調方式を用いる前記通信リンク（４１０）の前記リンク品質を向上させる性能向上手段（１７０）と、
−前記性能向上手段（１７０）の動作によって得られるリンク品質性能向上の表示を生成する第２の生成器（１８０）とをさらに有し、
前記第１の生成器（１４０）が、前記変調方式を選択するための情報を、前記向上表示に基づいて生成するように構成されることを特徴とする請求項２５乃至請求項２７のいずれか１項に記載の装置。
【請求項２９】
移動機（１００）に使用可能な複数の変調方式であり、かつ前記移動機（１００）と基地局（４００）との間の通信リンク（４１０）で用いるために適合された複数の変調方式の中から、１つの変調方式を選択するため、無線通信システム（１）に設けられる変調方式選択装置（２００）であって、
−前記移動機（１００）から送信された決定情報であって、第１の変調方式を用いる前記通信リンク（４１０）についての第１の変調方式依存リンク品質と、前記第１のリンク品質と前記移動機（１００）の受信機アルゴリズムの情報とに基づいて生成された少なくとも第２の変調方式についての第２の変調方式依存リンク品質とを含む決定情報を受信する手段（２１０）と、
−前記移動機（１００）への前記通信リンク（４１０）に用いるための変調方式を、前記受信した決定情報に基づいて選択する手段（２３０）を有することを特徴とする装置。
【請求項３０】
前記基地局（４００）へ変調方式変更コマンドを間欠的に送信する手段（２１０，２５０）をさらに有し、
前記変更コマンドは、前記少なくとも第２の変調方式を用いて変調したデータを、前記通信リンク（４１０）上で前記移動機（１００）に間欠的に送信するよう前記基地局（４００）に強制することを特徴とする請求項２９記載の装置。
【国際調査報告】
2007534199.tif 000018
2007534199.tif 000019
2007534199.tif 000020